(57)【要約】【課題】光ファイバ母材の製造装置の排気ダクトの腐食を防止する。【解決手段】光ファイバ母材Ｍの製造装置１Ａは、反応容器１０と、反応容器内に設置されたバーナ１１と、反応容器に接続された排気ダクト１６と、排気ダクト内に冷却用ガスを給気する給気ダクト１５と、排気ダクトのうち、反応容器内から排出された排気ガスＥと冷却用ガスＳとの合流部Ｃにおける内面の温度が４０℃以上となるように、排気ダクトの温度を調整する温調部１７と、を備える。【選択図】図１
2018203567.tif 000002
【特許請求の範囲】
【請求項１】
反応容器と、
前記反応容器内に設置されたバーナと、
前記反応容器に接続された排気ダクトと、
前記排気ダクト内に冷却用ガスを給気する給気ダクトと、
前記排気ダクトのうち、前記反応容器内から排出された排気ガスと前記冷却用ガスとの合流部における内面の温度が４０℃以上となるように、前記排気ダクトの温度を調整する温調部と、
を備える、光ファイバ母材の製造装置。
【請求項２】
前記排気ダクトは、
前記反応容器に接続された金属製の上流側排気ダクトと、
前記上流側排気ダクトの下流側に接続された、樹脂を含む下流側排気ダクトと、
を含む、請求項１に記載の光ファイバ母材の製造装置。
【請求項３】
前記温調部は、前記排気ダクトのうち、少なくとも前記給気ダクトが開口する開口部に設けられている、請求項１または２に記載の光ファイバ母材の製造装置。
【請求項４】
前記温調部は、断熱部材、加熱部材、およびヒートパイプのうち少なくとも一つを有する、請求項１から３のいずれか１項に記載の光ファイバ母材の製造装置。
【請求項５】
前記温調部は、加熱部材を有する、請求項１から４のいずれか１項に記載の光ファイバ母材の製造装置。
【請求項６】
反応容器と、
前記反応容器内に設置されたバーナと、
前記反応容器に接続された排気ダクトと、
前記排気ダクトの内面における最も低い温度が４０℃以上となるように前記排気ダクトの温度を調整する温調部と、
を備える、光ファイバ母材の製造装置。
【請求項７】
請求項１から６のいずれか１項に記載の光ファイバ母材の製造装置を用いて、光ファイバ母材を製造する、光ファイバ母材の製造方法。
【発明の詳細な説明】
【技術分野】
【０００１】
本発明は、光ファイバ母材の製造装置および光ファイバ母材の製造方法に関する。
【背景技術】
【０００２】
光ファイバ母材を製造する方法として、ＶＡＤ法やＯＶＤ法などのスート法が広く用いられている。これらのスート法に用いられる製造装置として、下記特許文献１では、反応容器と、反応容器内に設置されたバーナと、反応容器に接続された排気ダクトと、を備えた構成を開示している。バーナは、ガラス原料ガスや酸素ガス、水素ガスなどを噴射してガラス微粒子を生成し、このガラス微粒子を、反応容器内で回転するターゲットに付着させる。ターゲットに付着しなかったガラス微粒子は、排気ガスとともに、排気ダクトを通じて排出される。
【０００３】
また、この特許文献１では、反応容器には金属製の排気ダクトを接続し、この金属製の排気ダクトの下流側に樹脂を含む排気ダクトを接続し、さらに冷却用ガスを給気する給気ダクトを金属製の排気ダクトに接続する構成を開示している。このように、樹脂を含む排気ダクトを用いることで装置のコストダウンを図ることができる。また、樹脂を含む排気ダクトは、金属製の排気ダクトよりも耐熱温度が低いが、冷却用ガスによって、樹脂を含む排気ダクトの耐熱温度以下まで排気ガスを冷却することができる。
【先行技術文献】
【特許文献】
【０００４】
【特許文献１】特開２００５−１６２５７３号公報
【発明の概要】
【発明が解決しようとする課題】
【０００５】
ところで、このようなスート法では、反応容器内で、ガラス微粒子とともに塩化水素が生成される。冷却用ガスを排気ダクト内に給気すると、排気ダクトが局所的に冷却され、排気ダクトの内面で塩化水素および水分を含んだガスが冷却されて結露し、塩酸が生成されてしまう場合がある。特に、反応容器近傍の排気ダクトは、耐熱性が要求されるため金属製である場合が多く、塩酸によって腐食してしまうおそれがある。
【０００６】
本発明はこのような事情を考慮してなされたもので、光ファイバ母材の製造装置の排気ダクトの腐食を防止することを目的とする。
【課題を解決するための手段】
【０００７】
上記課題を解決するために、本発明の第１態様に係る光ファイバ母材の製造装置は、反応容器と、前記反応容器内に設置されたバーナと、前記反応容器に接続された排気ダクトと、前記排気ダクト内に冷却用ガスを給気する給気ダクトと、前記排気ダクトのうち、前記反応容器内から排出された排気ガスと前記冷却用ガスとの合流部における内面の温度が４０℃以上となるように、前記排気ダクトの温度を調整する温調部と、を備える。
【０００８】
上記態様に係る光ファイバ母材の製造装置によれば、排気ガスと冷却用ガスとの合流部における内面の温度が４０℃以上となるように、温調部が排気ダクトの温度を調整する。これにより、排気ダクトが冷却用ガスによって冷却され局所的に低温になることを防ぎ、排気ガスに含まれる塩化水素および水分が、合流部の内面で結露して塩酸が生成されてしまうのを抑えることができる。従って、排気ダクトが金属製であったとしても、塩酸による排気ダクトの腐食を防止することができる。
【０００９】
また、前記排気ダクトは、前記反応容器に接続された金属製の上流側排気ダクトと、前記上流側排気ダクトの下流側に接続された、樹脂を含む下流側排気ダクトと、を含んでいてもよい。
【００１０】
この場合、反応容器に接続されているために高温となる上流側排気ダクトの耐熱性を確保しつつ、樹脂を含む下流側排気ダクトを用いることで、排気ダクト全体の軽量化およびコストダウンを図ることができる。
【００１１】
また、前記温調部は、前記排気ダクトのうち、少なくとも前記給気ダクトが開口する開口部に設けられていてもよい。
【００１２】
この場合、排気ダクトのうち特に低温となりやすい給気ダクトの開口部に温調部を設けることで、塩酸の生成をより効果的に防ぐことができる。
【００１３】
また、前記温調部は、断熱部材、加熱部材、およびヒートパイプのうち少なくとも一つを有していてもよい。
【００１４】
温調部として断熱部材を用いた場合には、排気ダクトのうち高温になっている部分の熱を合流部に伝えて、この合流部を簡易的に温めることができる。さらに、断熱部材によって合流部を保温することで、例えば外気によって排気ダクトが冷却されることも防止することができる。
温調部として加熱部材を用いた場合には、この加熱部材によって、合流部を確実に温めることができる。
温調部としてヒートパイプを用いた場合には、ヒートパイプの蒸発部を排気ダクトのうち高温となる反応容器側に位置させ、ヒートパイプの凝縮部を合流部の近傍に位置させることで、反応容器で生じた熱を合流部に効率よく伝えて、合流部を温めることができる。
【００１５】
また、上記課題を解決するために、本発明の第２態様に係る光ファイバ母材の製造装置は、反応容器と、前記反応容器内に設置されたバーナと、前記反応容器に接続された排気ダクトと、前記排気ダクトの内面における最も低い温度が４０℃以上となるように前記排気ダクトの温度を調整する温調部と、を備えている。
【００１６】
上記態様の光ファイバ母材の製造装置によれば、排気ダクトの内面における最も低い温度を４０℃以上とすることで、排気ダクト内で塩酸が生成されて、排気ダクトが腐食してしまうのを防止することができる。
【００１７】
また、上記光ファイバ母材の製造装置を用いて光ファイバ母材を製造することで、例えば排気ダクトが塩酸によって腐食することで不純物が反応容器内に入り込むのを防ぎ、高品質な光ファイバ母材を製造することができる。
【発明の効果】
【００１８】
本発明の上記態様によれば、光ファイバ母材の製造装置の排気ダクトの腐食を防止することができる。
【図面の簡単な説明】
【００１９】
【図１】第１実施形態に係る光ファイバ母材の製造装置の概略構成図である。
【図２】第２実施形態に係る光ファイバ母材の製造装置の概略構成図である。
【発明を実施するための形態】
【００２０】
（第１実施形態）
以下、第１実施形態に係る光ファイバ母材の製造装置の構成を、図１を参照しながら説明する。なお、以下の説明に用いる各図面では、各部材を認識可能な大きさとするため縮尺を適宜変更している。
【００２１】
図１に示すように、本実施形態の光ファイバ母材の製造装置（以下、単に製造装置１Ａという）は、ＶＡＤ法によって光ファイバ母材を製造するものである。
製造装置１Ａは、反応容器１０と、コア用バーナ１１と、クラッド用バーナ１２と、連結ダクト１３、１４と、給気ダクト１５と、排気ダクト１６と、温調部（temperature keeping portion）１７と、を備えている。
【００２２】
（反応容器）
反応容器１０内には、反応容器１０の外部から石英ガラスロッドＲが導入されている。石英ガラスロッドＲは、反応容器１０内で回転させられる。
【００２３】
コア用バーナ１１およびクラッド用バーナ１２は、反応容器１０内に設置されている。これらのバーナ１１、１２は、ＳｉＣｌ４ガス、ＧｅＣｌ４ガス、Ｏ２ガス、Ｈ２ガス、不活性ガスなどを、回転する石英ガラスロッドＲに向けて吹き付ける。
製造装置１ＡはＶＡＤ法を採用しており、反応容器１０内では、下記数式（１）に示す火炎加水分解反応が生じる。
ＳｉＣｌ４  ＋  ２Ｈ２Ｏ  →ＳｉＯ２  ＋４ＨＣｌ  …（１）
すなわち、反応容器１０内では、ガラス微粒子（ＳｉＯ２）とともに塩化水素（ＨＣｌ）が生成される。
【００２４】
生成されたガラス微粒子が石英ガラスロッドＲに付着して堆積することで、スートが形成される。なお、各バーナ１１、１２とスートとの距離を一定に保つため、石英ガラスロッドＲは、スートの形成に伴って上方に引き上げられる。
このようにして、石英ガラスロッドＲの周囲にスートを堆積させ、これを焼結してガラス化させることで、光ファイバ母材Ｍが製造される。
また、この光ファイバ母材Ｍを溶融させて線引きすることで、光ファイバが製造される。
【００２５】
連結ダクト１３、１４は、反応容器１０に接続されている。連結ダクト１３、１４は、反応容器１０と排気ダクト１６とを連結する。連結ダクト１３、１４のうち、給気ダクト１５に近い連結ダクト１３には、第１温度センサＳ１が設けられている。第１温度センサＳ１は、反応容器１０から排出される排気ガスＥの温度を測定することができる。
【００２６】
（排気ダクト）
排気ダクト１６は、反応容器１０に接続された金属製の上流側排気ダクト１６ａと、上流側排気ダクト１６ａの下流側に接続された、樹脂を含む下流側排気ダクト１６ｂと、を含んでいる。
上流側排気ダクト１６ａは、連結ダクト１３、１４を介して、反応容器１０に接続されている。上流側排気ダクト１６ａは、耐熱性が要求されるため、金属によって形成されている。上流側排気ダクト１６ａに用いられる金属としては、アルミニウム、チタンなどを採用することができる。
【００２７】
下流側排気ダクト１６ｂは、上流側排気ダクト１６ａの下流側に接続されている。下流側排気ダクト１６ｂ内は負圧となっている。このため、反応容器１０内の排気ガスＥは、連結ダクト１３、１４および上流側排気ダクト１６ａを通じて、下流側排気ダクト１６ｂ内へと吸引される。なお、排気ガスＥは、下流側排気ダクト２６ｂの下流側に設けられた排ガス処理装置（不図示）に導入され、除塵・除害処理された後に放出される。
【００２８】
下流側排気ダクト１６ｂは、フッ素系樹脂、塩化ビニル樹脂、ＦＲＰ(繊維強化プラスチック)などの樹脂を含む材料によって形成されている。このため、下流側排気ダクト１６ｂは、金属製の上流側排気ダクト１６ａと比較して、酸性の液体などによる腐食には強いが、耐熱温度は低い。また、下流側排気ダクト１６ｂは樹脂を含んでいるため、金属製の上流側排気ダクト１６ａと比較して軽量かつ安価である。
【００２９】
上記したように、下流側排気ダクト１６ｂは耐熱温度が比較的低い。そこで、上流側排気ダクト１６ａには、この上流側排気ダクト１６ａ内に冷却用ガスＳを給気する給気ダクト１５が接続されている。給気ダクト１５は、上流側排気ダクト１６ａ内に開口している。以下、上流側排気ダクト１６ａのうち、給気ダクト１５が開口する部分を開口部１５ａという。排気ダクト１６の外面のうち、開口部１５ａの近傍には、第２温度センサＳ２が設けられている。第２温度センサＳ２は、排気ダクト１６の外面の温度を測定することができる。なお、排気ダクト１６の内面の温度は、排気ダクト１６の外面の温度から算出することができる。
【００３０】
給気ダクト１５が上流側排気ダクト１６ａ内に給気する冷却用ガスＳは、常温の空気であってもよいし、その他の気体であってもよい。給気ダクト１５が冷却用ガスＳを上流側排気ダクト１６ａ内に給気することで、反応容器１０から排出された高温の排気ガスＥが冷却される。これにより、下流側排気ダクト１６ｂに到達する排気ガスＥの温度を、下流側排気ダクト１６ｂの耐熱温度以下とすることができる。
【００３１】
ところで、上流側排気ダクト１６ａのうち、排気ガスＥと冷却用ガスＳとの合流部Ｃは、冷却用ガスＳによって局所的に冷やされることになる。このように、上流側排気ダクト１６ａが局所的に冷やされると、上流側排気ダクト１６ａ内の水分および塩化水素（数式（１）参照）を含むガスが凝縮し、塩酸として付着（結露）してしまう場合がある。特に、上流側排気ダクト１６ａのうち、給気ダクト１５からの冷却用ガスが流入する開口部１５ａおよび合流部Ｃは低温になりやすく、塩酸が結露しやすい。上流側排気ダクト１６ａは先述の通り、耐熱性を確保するために金属で形成されているため、塩酸によって腐食してしまうおそれがある。
【００３２】
このような腐食を防ぐためには、金属製である上流側排気ダクト１６ａ内を、塩酸が結露しない温度に調整することが有効である。塩酸の沸点はその濃度に依存するが、例えば濃度３８％で４８℃である。また、塩酸の濃度が高くなると、その沸点は低下する。これらのことを考慮して、上流側排気ダクト１６ａ内を、塩酸が揮発しやすい温度（例えば４０℃以上）に調整することが望ましい。
【００３３】
（温調部）
そこで本実施形態の製造装置１Ａは、上流側排気ダクト１６ａのうち、反応容器１０内から排出された排気ガスＥと、給気ダクト１５から給気された冷却用ガスＳと、の合流部Ｃにおける温度を調節する温調部１７を備えている。温調部１７は、上流側排気ダクト１６ａのうち、少なくとも開口部Ｃの外表面に設けられている。温調部１７としては、シリコンスポンジなどの断熱部材、電気ヒータなどの加熱部材、若しくはヒートパイプなどの熱輸送部材を用いることができる。なお、ヒートパイプとは、作動流体と、作動流体に毛管力を発生させるウイックと、をコンテナ内に封入したものであり、作動流体の相転移を利用して熱を輸送するものである。
【００３４】
温調部１７として断熱部材を用いた場合には、上流側排気ダクト１６ａのうち高温になっている部分の熱を合流部Ｃに伝えて、この合流部Ｃを簡易的に温めることができる。さらに、断熱部材によって合流部Ｃを保温することで、例えば外気によって合流部Ｃが冷却されることも防止することができる。
温調部１７として加熱部材を用いた場合には、この加熱部材によって、合流部Ｃを確実に温めることができる。
温調部１７としてヒートパイプを用いる場合には、例えばヒートパイプの蒸発部を上流側排気ダクト１６ａのうち高温となる反応容器１０側に位置させ、ヒートパイプの凝縮部を合流部Ｃの近傍に位置させるとよい。これにより、反応容器１０で生じた熱を合流部Ｃに効率よく伝えて、合流部Ｃを温めることができる。
【００３５】
なお、温調部１７として、断熱材、加熱部材、およびヒートパイプを組み合わせて用いてもよい。例えば排気ダクト１６の外側に加熱部材を取り付けて、この加熱部材ごと排気ダクト１６を断熱部材で覆うことで温調部１７を構成した場合には、加熱部材による熱を断熱部材で閉じ込めることにより、合流部Ｃをさらに効率よく温めることができる。同様に、ヒートパイプと断熱部材とを組み合わせてもよい。
【００３６】
このように、温調部１７は、上流側排気ダクト１６ａを加熱若しくは保温し、合流部Ｃの内面で結露が発生してしまうのを抑える役割を果たす。これにより、塩化水素および水分を含む排気ガスＥが凝縮して塩酸が生成され、上流側排気ダクト１６ａが腐食してしまうのを抑えることができる。
【００３７】
（第２実施形態）
次に、本発明に係る第２実施形態について説明するが、第１実施形態と基本的な構成は同様である。このため、同様の構成には同一の符号を付してその説明は省略し、異なる点についてのみ説明する。
本実施形態の製造装置は、光ファイバ母材をＯＶＤ法（外付け法）によって製造する点が、第１実施形態と異なる。
【００３８】
図２に示すように、本実施形態の光ファイバ母材の製造装置（以下、単に製造装置１Ｂという）は、ＯＶＤ法によって光ファイバ母材を製造するものである。
製造装置１Ｂは、反応容器２０と、バーナ２１と、連結ダクト２２〜２４と、給気ダクト２５と、排気ダクト２６と、温調部２７と、を備えている。
【００３９】
反応容器２０内には、石英ガラスロッドＲが配置されている。石英ガラスロッドＲは、反応容器２０内で回転させられる。
バーナ２１は、反応容器２０内に設置されている。バーナ２１は、ＳｉＣｌ４ガス、ＧｅＣｌ４ガス、Ｏ２ガス、Ｈ２ガス、不活性ガスなどを石英ガラスロッドＲに吹き付けながら、石英ガラスロッドＲの長手方向に沿って往復運動する。
【００４０】
製造装置１ＢはＯＶＤ法を採用しており、反応容器２０内では、第１実施形態で示した数式（１）と同様の火炎加水分解反応が生じる。すなわち、反応容器２０内では、ガラス微粒子（ＳｉＯ２）とともに塩化水素（ＨＣｌ）が生成される。
生成したガラス微粒子が石英ガラスロッドＲに付着して堆積することで、スートが形成される。これを焼結させてガラス化することで光ファイバ母材が製造され、光ファイバ母材を溶融させて線引きすることで光ファイバが製造される。
【００４１】
連結ダクト２２〜２４は、反応容器２０に接続されている。連結ダクト２２〜２４は、反応容器２０と排気ダクト２６とを連結する。
排気ダクト２６は、反応容器２０に接続された金属製の上流側排気ダクト２６ａと、上流側排気ダクト２６ａの下流側に接続された、樹脂を含む下流側排気ダクト２６ｂと、を含んでいる。
上流側排気ダクト２６ａは、連結ダクト２２〜２４を介して、反応容器２０に接続されている。上流側排気ダクト２６ａは、耐熱性が要求されるため、金属によって形成されている。上流側排気ダクト２６ａに用いられる金属としては、アルミニウム、チタンなどを採用することができる。
【００４２】
下流側排気ダクト２６ｂは、上流側排気ダクト２６ａの下流側に接続されている。下流側排気ダクト２６ｂは、フッ素系樹脂、塩化ビニル樹脂、ＦＲＰ(繊維強化プラスチック)などの樹脂を含む材料によって形成されている。このため、下流側排気ダクト２６ｂは、金属製の上流側排気ダクト２６ａと比較して、酸性の液体などによる腐食には強いが、耐熱温度は低い。
下流側排気ダクト２６ｂ内は負圧となっている。このため、反応容器２０内の排気ガスＥは、連結ダクト２２〜２４および上流側排気ダクト２６ａを通じて、下流側排気ダクト２６ｂ内へと吸引される。なお、排気ガスＥは、下流側排気ダクト２６ｂの下流側に設けられた排ガス処理装置（不図示）に導入され、除塵・除害処理された後に放出される。
【００４３】
上流側排気ダクト２６ａには、この上流側排気ダクト２６ａ内に冷却用ガスＳを給気する給気ダクト２５が接続されている。給気ダクト２５は、上流側排気ダクト２６ａ内に開口している。以下、上流側排気ダクト２６ａのうち、給気ダクト２５に接続された部分を開口部２５ａという。
【００４４】
給気ダクト２５が上流側排気ダクト２６ａ内に給気する冷却用ガスＳは、常温の空気であってもよいし、その他の気体であってもよい。給気ダクト２５が冷却用ガスＳを上流側排気ダクト２６ａ内に給気することで、反応容器２０から排出された高温の排気ガスＥが冷却される。これにより、下流側排気ダクト２６ｂに到達する排気ガスＥの温度を、下流側排気ダクト２６ｂの耐熱温度以下とすることができる。
【００４５】
温調部２７は、上流側排気ダクト２６ａのうち、排気ガスＥと冷却用ガスＳとの合流部Ｃを覆っており、塩酸が結露しないように、この合流部Ｃの温度を調整する。温調部２７としては、シリコンスポンジなどの断熱部材、電気ヒータなどの加熱部材、若しくはヒートパイプなどの熱輸送部材を用いることができる。また、これらの部材を組み合わせて、温調部２７を構成してもよい。
【００４６】
以上説明した第２実施形態の構成でも、第１実施形態と同様の作用効果を得ることができる。
【実施例】
【００４７】
以下、具体的な実施例を用いて、上記実施形態を説明する。なお、以下の実施例は本発明を限定するものではない。
本実施例では、図１に示すような製造装置１Ａによって光ファイバ母材Ｍを製造した際の、温調部１７による塩酸の結露防止効果を確認した。この結果を、下記表１に示す。
【００４８】
【表１】
2018203567.tif 000003
【００４９】
表１の「排気ガス温度」は、図１の連結ダクト１３に設けられた温度センサＳ１の検出結果に基づいて得られた、反応容器１０から排出された排気ガスＥの温度である。本実施例では、この排気ガス温度は６０℃若しくは１５０℃となった。
表１の「ダクト表面温度」は、温度センサＳ２による、上流側排気ダクト１６ａと給気ダクト１５との接続部の、外面における温度の測定結果である。本実施例では、このダクト表面温度は、１８℃〜９５℃の範囲となった。
【００５０】
表１の「ダクト内面温度（計算値）」は、上記「ダクト表面温度」の数値に基づいて算出した、開口部１５ａの内面の温度である。本実施例では、この計算値は、２０℃〜１００℃の範囲となった。
表１の「温調部の構成」は、温調部１７の構成を示している。例えば実施例１では、温調部１７として断熱材（シリコンスポンジ）とヒータとを組み合わせて用いている。また、比較例１〜３では、温調部１７を設けなかった。
表１の「排気ダクト内部の結露」は、光ファイバ母材Ｍを製造後、上流側排気ダクト１６ａの内面に、塩酸が結露していたか否かを示している。
【００５１】
（比較例）
表１に示すように、温調部１７を設けなかった比較例１〜３では、ダクト内面温度が２０℃〜３０℃の範囲となった。また、上流側排気ダクト１６ａの内面に塩酸の結露が確認された。これは、上流側排気ダクト１６ａの合流部Ｃが冷却用ガスＳによって局所的に冷やされ、排気ガスＥ内に含まれる水分と塩化水素とが凝縮することで、塩酸が生成されてしまったと考えられる。
【００５２】
（実施例）
一方、温調部１７を設けた実施例１〜５では、ダクト内面温度が４０℃〜１００℃の範囲となった。また、排気ダクト内部に塩酸の結露が確認されなかった。これは、上流側排気ダクト１６ａの合流部Ｃの内面が、冷却用ガスＳによって局所的に低温となってしまうのを、温調部１７が抑止したことによる。つまり、合流部Ｃの内面の温度が、塩化水素および水素を含むガスが凝縮する温度以上となったことで、塩酸の結露を防止することができた。
【００５３】
以上説明したように、比較例１〜３と実施例１〜５との対比から、合流部Ｃの内面を４０℃以上とすることで、塩酸の結露および上流側排気ダクト１６ａの腐食を防止可能であることが判る。
【００５４】
また、上記実施例では、上流側排気ダクト１６ａのうち、特に給気ダクト１５の開口部１５ａが局所的に低温となりやすい。従って、少なくともこの開口部１５ａに温調部１７を設けることで、塩酸の生成をより効果的に防止することができる。
【００５５】
また、上記実施例では、塩化水素を含む排気ガスＥが存在する部分のうち、開口部１５ａが最も低温となりやすかった。しかしながら、製造装置１Ａの構成によっては、製造装置１Ａの開口部１５ａ以外の部分が低温となることも考えられる。このことを考慮すると、製造装置１Ａのうち、金属製の排気ダクトの内面における最も低い温度が４０℃以上となるように温調部１７を設けるとよい。この点は、製造装置１Ｂについても同様である。
【００５６】
また、上記したいずれかの製造装置を用いて光ファイバ母材Ｍを製造することで、例えば排気ダクトが腐食することで不純物が反応容器内に入り込むのを防ぎ、高品質な光ファイバ母材を製造することができる。
【００５７】
なお、本発明の技術的範囲は前記実施の形態に限定されるものではなく、本発明の趣旨を逸脱しない範囲において種々の変更を加えることが可能である。
【００５８】
例えば、前記実施形態では、ＶＡＤ法若しくはＯＶＤ法によって光ファイバ母材Ｍを製造する製造装置１Ａ、１Ｂについて説明したが、本発明は他の製法を採用した製造装置についても同様に適用することができる。
【００５９】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００６０】
１Ａ、１Ｂ…光ファイバ母材の製造装置  １０、２０…反応容器  １１…コア用バーナ  １２…クラッド用バーナ  １３、１４…連結ダクト  １５…給気ダクト  １６…排気ダクト  １６ａ…上流側排気ダクト  １６ｂ…下流側排気ダクト  １７…温調部  ２２〜２４…連結ダクト  ２５…給気ダクト  ２５ａ…開口部  ２６…排気ダクト  ２６ａ…上流側排気ダクト  ２６ｂ…下流側排気ダクト  ２７…温調部  Ｃ…合流部  Ｅ…排気ガス  Ｍ…光ファイバ母材  Ｓ…冷却用ガス
【図１】
2018203567.tif 000004
【図２】
2018203567.tif 000005